(57)【要約】　　　（修正有）【課題】Ｘ線撮影装置において、患者リスト内に同一患者名が存在する場合、警告を表示して患者の取り違えを防止する。【解決手段】患者情報を受信する手段と受信した複数の患者情報を比較する比較手段と表示手段を有し、比較手段による比較の結果、一致する場合、前記表示手段により、患者を取り違えないよう注意を喚起する警告メッセージを表示する。【選択図】　　　図１
2004097639.tif 000002
【特許請求の範囲】
【請求項１】
外部から名前の項目を含む患者情報を受信する受信手段と、前記受信手段により受信した複数の患者情報を比較する比較手段と、表示手段を有し、前記比較手段により比較した結果、前記患者情報内の名前の項目が一致する場合、名前が一致した患者の撮影の際、前記表示手段により、患者を取り違えないよう注意を喚起するメッセージを表示することを特徴とするＸ線撮影装置。
【請求項２】
前記比較手段により名前の項目の姓のみを比較することを特徴とする請求項１に記載のＸ線撮影装置。
【発明の詳細な説明】
【０００１】
【発明の属する技術分野】
本発明は、外部から患者情報を受信するＸ線撮影装置に関するものである。
【０００２】
【従来の技術】
従来から、医療診断を目的としたＸ線撮影装置においては、Ｘ線検出部に増感紙とフィルムとを組み合わせたＸ線写真方式が広く使用されている。この方式によれば、患者を透過したＸ線が増感紙に入射すると、その増感紙に含まれる蛍光体が入射したＸ線エネルギーを吸収して蛍光を発し、この蛍光がＸ線フィルムを感光させる。そして、このフィルムを現像処理することによってＸ線画像を可視化し、診断を行っている。
【０００３】
ところが近年、デジタル技術の進歩によりＸ線画像をデジタルデータとして検出・生成する装置が活発に開発されている。その一つの例として、Ｘ線に対して感度を持ち、検出したＸ線の強度に応じた電気信号に変換・出力する固体撮像素子を利用して、これらの素子から出力されるアナログ信号をＡ（アナログ）／Ｄ（デジタル）変換によってデジタル画像データとして取り出す平面センサパネルを用いたＸ線撮影装置等が提案されている。
【０００４】
また、機器のデジタル化にともなって、ＨＩＳと呼ばれる病院内情報システムや、ＲＩＳと呼ばれる放射線情報システムとネットワークで接続されるようになり、ネットワーク経由で患者情報を入力し、デジタル画像データに患者情報を付加する機器が普及して、患者情報の入力の手間がなくなった。
【０００５】
ネットワーク経由で患者情報が入力されるこのようなＸ線撮影装置は、以下のように動作する。まず、ＨＩＳやＲＩＳから患者情報を受信すると、Ｘ線撮影装置は患者リスト内に受信した患者情報を追加する。Ｘ線撮影装置はコンソールにこの患者リストを表示する。技師は表示されたリストを見て、リストの順または任意の順に患者を待合室から撮影室に呼び入れて、撮影を行う。前記平面センサパネルを使用したＸ線撮影装置においては、撮影直後に画像を表示することができ、患者情報を付加したデジタル画像データを自動的にネットワーク経由で画像サーバー等に転送することもできる。
【０００６】
このように、デジタル化、ネットワーク化により、フィルムの設定や現像の手間がなく、短時間かつ簡単な操作で撮影を行うことができるようになった。
【０００７】
【発明が解決しようとする課題】
しかしながら、上記の従来例においては、以下のような問題点があった。
【０００８】
これから撮影を行う患者リスト内に同姓同名の氏名情報がある場合、待合室には同じ名前の患者がいる可能性が高い。このような場合、技師や看護婦が患者の名前を呼ぶ際、同じ名前の違う患者が撮影室に入ってしまう可能性があり、患者を取り違えて撮影してしまうかもしれないという問題点があった。
【０００９】
【課題を解決するための手段】
本発明によれば、前記の目的は、外部から名前の項目を含む患者情報を受信する受信手段と、前記受信手段により受信した複数の患者情報を比較する比較手段と、表示手段を有し、前記比較手段により比較した結果、前記患者情報内の名前の項目が一致する場合、名前が一致した患者の撮影の際、前記表示手段により、患者を取り違えないよう注意を喚起するメッセージを表示することを特徴とするＸ線撮影装置によって達成される。
【００１０】
また、前記の目的は、前記比較手段により名前の項目の姓のみを比較することを特徴とする前記Ｘ線撮影装置によって達成される。
【００１１】
【発明の実施の形態】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１２】
（第１の実施の形態）
本発明の第１の実施の形態で使用するＸ線撮影装置のブロック図を図１に示す。Ｘ線撮影装置制御部１００は、Ｘ線撮影装置操作部１０１、Ｘ線撮影装置センサ部１０２、Ｘ線発生装置制御部２０１、ネットワーク３００が接続されている。Ｘ線撮影装置操作部１０１は、タッチパネルになっており、情報の表示手段と操作の入力手段を兼ねている。Ｘ線撮影装置センサ部１０２は、患者を透過してきたＸ線の強度に応じたアナログ信号をＡ／Ｄ変換によってデジタル画像データとして取り出す平面センサパネルである。
【００１３】
Ｘ線の照射は、技師がＸ線発生装置操作部２０２から管電圧、管電流、照射時間等の条件を指定し、それらの条件をＸ線発生装置制御部２０１がＸ線管球２００に出力することにより行われる。Ｘ線撮影装置制御部１００は、Ｘ線発生装置制御部２０１に対して、撮影の準備が整った時のみ照射を許可し、普段は照射を許可しないようにする安全のための信号を送信し、照射終了時には照射終了の信号を受信する。
【００１４】
また、Ｘ線撮影装置制御部１００は、ＨＩＳと呼ばれる院内情報システムやＲＩＳとよばれる放射線科情報システムとリンクされているネットワーク３００を介して、患者情報の入力、撮影済み画像の出力などができるようになっている。
【００１５】
Ｘ線撮影装置制御部１００は、Ｘ線撮影装置の中核であり、撮影に必要な一連の制御を行う。具体的には、ネットワークから患者情報を受信し、受信した患者情報のリストをＸ線撮影装置操作部１０１へ表示し、次に撮影する患者をリストから選択させ、Ｘ線発生装置に対して曝射の許可不許可を行い、曝射後Ｘ線撮影装置センサ部１０２から画像データを読み込み、読み込んだ画像データに対する適切な画像処理をして、画像データをＸ線撮影装置操作部１０１へ表示し、ネットワーク３００に接続された図示されていないプリンターや画像サーバー等へ画像データを出力する。Ｘ線撮影装置は、上記のような機能を有する。
【００１６】
次に、本発明のＸ線撮影装置における撮影の手順を図２、図３に示すフローチャートで説明する。
【００１７】
図２は、本発明のＸ線撮影装置における患者情報受信時のフローチャートである。ＨＩＳやＲＩＳは、患者情報を送信するタイミングは決まっていないので、このフローチャートのアルゴリズムは、Ｘ線撮影装置制御部１００において非同期で（患者情報を受信したときはいつも）実行される。まず、ステップＳ１００において、ネットワーク３００から患者情報を取得する。次にステップＳ１０１において、先ほど受信した患者情報を図４に示す患者リストに追加する。
【００１８】
図４の患者リストは、Ｘ線撮影装置制御部１００が内部に持っているもので、ＨＩＳ、ＲＩＳから受信する患者情報（患者ＩＤ、患者名（姓）、患者名（名）、年齢、性別）、撮影部位情報（撮影部位ＩＤ）の他に警告フラグがあるのが特徴である。この警告フラグは、この患者リスト内に同じ名前の患者がいるかどうかを示すフラグであり、この値が０なら同じ名前の患者はいないことを示し、値が１のときは同じ名前の患者がいることを示すものとする。このリストに患者情報を新規に追加した場合、このフラグの値の初期値は０である。撮影部位ＩＤは撮影部位に対応しており、例えば１１は「胸部正面ＡＰ」、１２は「胸部正面ＰＡ」、１３は「胸部側面」などのような対応であり、数値と部位の対応は病院ごとに決められている。また、１人の患者が複数の撮影を行う場合は、図４の患者ＩＤ００８５４の患者のように、撮影部位ＩＤが複数指定される。
【００１９】
ステップＳ１０２では、先ほど患者リストに追加した患者情報とすでに患者リスト内に存在する全ての患者情報を比較する。比較は患者名（姓）と患者名（名）が一致するかどうか判断する。リスト内の全ての患者情報と順に比較し、患者名（姓）と患者名（名）が一致する患者が存在する場合、ステップＳ１０３で今回追加した患者情報の警告フラグと、すでに患者リスト内に存在していた患者情報の警告フラグの両方の警告フラグを１にセットしてステップＳ１０４に進む。ステップＳ１０２において、一致する患者情報がなかった場合は、警告フラグはセットせずにステップＳ１０４に進む。Ｘ線撮影装置制御部１００は、ステップＳ１００で複数の患者情報を同時に受信する可能性もある。複数の患者情報を同時に受信した場合は、ステップＳ１０４で全ての患者情報を追加したか判断して、ステップＳ１０１に戻り、患者情報を１件ずつ患者リストに追加していく。
【００２０】
このように、患者情報を１件追加するたびに患者リスト内の全ての患者情報と比較し警告フラグをセットすることにより、撮影時に「警告メッセージ」を表示するための準備をしているのである。以上が患者情報受信時の処理である。
【００２１】
次に、本発明のＸ線撮影装置の撮影時のアルゴリズムを図３に示すフローチャートで説明する。Ｘ線撮影装置制御部１００は、既に説明したように様々な処理をしているが、図３は撮影時の処理のみを示している。ステップＳ２００の前にＸ線撮影装置操作部１０１には、既に患者リストが表示されているものとする。撮影時に操作を行う技師は、ステップＳ２００において、Ｘ線撮影装置操作部１０１から任意の患者を選択する。
【００２２】
ステップＳ２０１において、選択された患者の警告フラグがセットされているか確認する。警告フラグがセットされていた場合は、ステップＳ２０２で図５に示すような警告メッセージ表示する。
【００２３】
この警告メッセージはモーダルなダイアログボックスで、ダイアログボックス内のＯＫボタンを押下しないと次のステップＳ２０３に進めないようになっている。このようにすることで、技師は必ずＯＫボタンを押下しなければならず、同じ名前の患者が存在することを確実に通知できる。
【００２４】
ＯＫボタンを押下するとステップＳ２０３に進む。警告フラグがセットされていない場合は、そのままステップＳ２０３に進む。
【００２５】
ステップＳ２０３では、撮影部位ＩＤで指定された全ての部位の撮影を行う。撮影が終了した後、ステップＳ２０４において撮影が終了した患者の患者情報を患者リストから削除する。ステップＳ２０５では、患者リスト内にまだ患者情報が残っているか確認し、残っている場合には、ステップＳ２００に戻って次の患者の撮影を行う。患者リストが空の場合は、図示していないが患者情報待ちの状態になり、ネットワーク３００から患者情報が入力されるのを待つ。患者情報が入力されれば、Ｘ線撮影装置操作部１０１に患者リストを表示して、再びステップＳ２００から処理を開始することになる。
【００２６】
以上のように、本発明のＸ線撮影装置は、同姓同名の患者が患者リスト内に存在する場合、撮影時に警告メッセージを表示して注意を促すので、患者を取り違える危険性を少なくする。
【００２７】
（第２の実施の形態）
次に本発明の第２の実施の形態を説明する。上記第１の実施の形態ではステップＳ１０２において患者の名前を比較する際、患者名（姓）と患者名（名）の両方を比較して同じかどうか判断していたが、第２の実施の形態では、患者名（姓）のみを比較して同じかどうか判断する。それ以外の処理は全て第１の実施の形態と同様である。
【００２８】
このように姓のみを比較することによって、姓が同じだけでも警告メッセージが表示されるので、患者を取り違える危険性をさらに少なくする。
【００２９】
（他の実施形態）
以上、本発明の実施形態について詳述したが、本発明は、複数の機器から構成されるシステムに適用しても良いし、また、一つの機器からなる装置に適用しても良い。
【００３０】
なお、本発明は、前述した実施形態の機能を実現するソフトウェアのプログラムを、システム或いは装置に直接或いは遠隔から供給し、そのシステム或いは装置のコンピュータが該供給されたプログラムコードを読み出して実行することによっても達成される場合を含む。その場合、プログラムの機能を有していれば、形態は、プログラムである必要はない。
【００３１】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。
【００３２】
その場合、プログラムの機能を有していれば、オブジェクトコード、インタプリタにより実行されるプログラム、ＯＳに供給するスクリプトデータ等、プログラムの形態を問わない。
【００３３】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００３４】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００３５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００３６】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００３７】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【００３８】
【発明の効果】
本発明によれば、以上説明したように、本発明のＸ線撮影装置は、同姓同名の患者が患者リスト内に存在する場合、撮影時に警告メッセージを表示して注意を促すので、患者を取り違える危険性を少なくする効果がある。
【００３９】
また、本発明の第２の実施の形態によれば、姓が同じだけで警告メッセージが表示して注意を促すので、患者を取り違える危険性をさらに少なくする効果がある。
【図面の簡単な説明】
【図１】Ｘ線撮影装置のブロック図である。
【図２】本発明の患者情報受信時の手順を示すフローチャートである。
【図３】本発明の撮影時の手順を示すフローチャートである。
【図４】Ｘ線撮影装置内の患者リストの例を示す図である。
【図５】表示する警告の例を示す図である。
【符号の説明】
１００　Ｘ線撮影装置制御部
１０１　Ｘ線撮影装置操作部
１０２　Ｘ線撮影装置センサ部
２００　Ｘ線管球
２０１　Ｘ線発生装置制御部
２０２　Ｘ線発生装置操作部
３００　ネットワーク
【図１】
2004097639.tif 000003
【図２】
2004097639.tif 000004
【図３】
2004097639.tif 000005
【図４】
2004097639.tif 000006
【図５】
2004097639.tif 000007